(57)【要約】【課題】必要最小限のスクリーンの開放を簡易に行うことができ、しかも、スクリーン装置自体が嵌め殺しの場合と同様に簡素で安価に構成できるようにした建物開口部用スクリーン装置を提供する。【解決手段】建物開口部におけるスクリーン８の開放部側とは逆側の開口部枠にスクリーン８の一端を固定し、スクリーン８の開放部側端に操作バー４を取り付け、スクリーン８及び操作バー４の両側端をガイドするガイド枠６を設ける。スクリーン８の両側端にファスナー半体８ａを取り付け、ガイド枠６にファスナー半体８ａの係止頭部８ｂのガイド枠６からの脱出を抑止するスリット６ａを設ける。ガイド枠６のスクリーン８の最大開放位置にスクリーン８がガイド枠６外に導出されるスクリーン導出部１０を形成する。【選択図】図４
2010236189.tif 000002
【特許請求の範囲】
【請求項１】
開閉する窓の内側に装設する建物開口部用スクリーン装置であって、該スクリーン装置により張設するスクリーンの外側における上下左右のいずれかの側で人手による作業が必要となる部位に対応させて、スクリーンの部分的な開放部を形成するようにしたスクリーン装置において、
上記建物開口部におけるスクリーンの上記開放部側とは逆側の該開口部枠に該スクリーンの一端を固定すると共に、該スクリーンの上記開放部側端に、スクリーンの部分的な開放のための操作バーを取り付け、更にそれらの両側の一対の対向する開口部枠に沿って、スクリーン及び操作バーの両側端を摺動可能にガイドするガイド枠を設け、
上記ガイド枠に摺動自在にガイドされるスクリーンの両側端にはそれぞれファスナー半体を取り付け、上記ガイド枠には、その内部に遊挿した上記ファスナー半体の係止頭部がガイド枠から脱出するのを抑止するスリットを設け、
上記一対のガイド枠のスクリーンの最大開放位置において、該ガイド枠の一部を切除することにより、上記操作バーでガイド枠の長手方向に押圧したスクリーンがガイド枠から外れてガイド枠外に導出されるスクリーン導出部を形成した、
ことを特徴とする建物開口部用スクリーン装置。
【請求項２】
上記一対のガイド枠におけるスクリーンの開放方向側の端部に上記スクリーンの最大開放位置を設定し、該端部に上記スクリーン導出部を形成した、
ことを特徴とする請求項１に記載の建物開口部用スクリーン装置。
【請求項３】
上記一対のガイド枠の中間部に上記スクリーンの最大開放位置を設定し、該中間部に上記スクリーン導出部を形成した、
ことを特徴とする請求項１に記載の建物開口部用スクリーン装置。
【請求項４】
開閉する窓の内側に装設する建物開口部用スクリーン装置であって、該スクリーン装置により張設するスクリーンの外側における上下または左右で人手による作業が必要となる部位に対応させて、スクリーンの部分的な開放部を形成するようにしたスクリーン装置において、
上記建物開口部におけるスクリーンの両端の上記開放部端に、スクリーンの部分的な開放のための操作バーを取り付け、更にそれらの両側の一対の対向する開口部枠に沿って、スクリーン及び操作バーの両側端を摺動可能にガイドするガイド枠を設け、
上記ガイド枠に摺動自在にガイドされるスクリーンの両側端にはそれぞれファスナー半体を取り付け、上記ガイド枠には、その内部に遊挿した上記ファスナー半体の係止頭部がガイド枠から脱出するのを抑止するスリットを設け、
上記一対のガイド枠の中間位置において、該ガイド枠の一部を切除することにより、上記操作バーでガイド枠の長手方向に押圧したスクリーンがガイド枠から外れてガイド枠外に導出されるスクリーン導出部を形成した、
ことを特徴とする建物開口部用スクリーン装置。
【請求項５】
上記ガイド枠のスクリーン導出部を、上記スリットを有するガイド枠における該スリットの片側壁を部分的に切除することにより形成した、
ことを特徴とする請求項１〜４のいずれかに記載の建物開口部用スクリーン装置。
【請求項６】
スクリーン導出部を、ガイド枠における該スリットの室内側壁を切除することにより形成し、該スクリーン導出部に、スクリーンの非導出時にその外面を覆うカバーを設けた、
ことを特徴とする請求項５に記載の建物開口部用スクリーン装置。
【請求項７】
上記スクリーンを上下方向に部分的に開放可能にした建物開口部用スクリーン装置において、上記ガイド枠のカバーの自重を該スクリーン導出部の閉鎖の作用因とした、
ことを特徴とする請求項６に記載の建物開口部用スクリーン装置。
【請求項８】
上記スクリーンを横方向に部分的に開放可能にした建物開口部用スクリーン装置において、上記スクリーン導出部のカバーに該スクリーン導出部に対し閉方向に付勢する付勢手段を付設した、
ことを特徴とする請求項６に記載の建物開口部用スクリーン装置。
【請求項９】
スクリーン導出部を、ガイド枠における該スリットの室外側壁を切除することにより形成した、
ことを特徴とする請求項５に記載の建物開口部用スクリーン装置。
【請求項１０】
上記スリットの片側壁の切除部を、該スリットからスクリーンを滑らかに導出する内側開きの斜面に形成した、
ことを特徴とする請求項５〜９のいずれかに記載の建物開口部用スクリーン装置。
【請求項１１】
上記スリットの片側壁の切除部により形成されるスクリーン導出部を、それを通して操作バーをガイド枠から導出できる形態に形成した、
ことを特徴とする請求項５〜１０のいずれかに記載の建物開口部用スクリーン装置。
【発明の詳細な説明】
【技術分野】
【０００１】
本発明は、建物開口部用スクリーン装置に関するものであり、特に、窓枠の内側にスクリーン装置を設置しながら、そのスクリーンを全面的に開放することなく窓の開閉操作や窓回りの設備の操作やメンテナンスを行うために、スクリーンの一部を通して窓枠側に手を差し延べることができるようにした、嵌め殺しに近い建物開口部用スクリーン装置に関するものである。
【背景技術】
【０００２】
近年、一戸建住宅やマンション等の出窓あるいは洗面所等の小窓において、オーニング窓、辷り出し窓、開き窓、突き出し窓等で、室内側に設置した開閉操作部材により開閉できるものが多く見受けられ、この種の窓では、窓枠の内側に防虫、目隠し、装飾等を目的とするスクリーンを設置する場合、必ずしも、巻取り式や折り畳み式などの開閉自在な収納式スクリーン装置にする必要はなく、嵌め殺しに近い状態で設置するのも一つの選択肢になっている。
【０００３】
しかしながら、上記の各種窓に室内側からの開閉操作部材があって、室内側からその開閉等の操作をできるとしても、窓回りの設備の各種操作や清掃その他の日常的なメンテナンスを行うためには、窓枠の内側のスクリーンを嵌め殺しにすることはできず、逆に、スクリーンを全面的に取り外したり、大きく開放した状態に保持可能にするのも大袈裟で、かえって作業が面倒になり、そのため、必要時にスクリーンの必要部分を簡易に開放することを可能にし、スクリーンの一部を通して容易に窓枠側に手を差し延べることができるようにすることが望まれる。
【０００４】
上述のような問題点を解決するものとして、特許文献１においては、四辺を構成する枠部材により略矩形状に形成した枠体と、該枠体に張設するネットとを備えた窓枠装設用の網戸を、上記枠体の対向辺を構成する枠部材の一対に蝶番を設けることにより、該部において折曲可能に構成し、当該網戸の折曲により開放される部位を、上記窓枠における開閉操作用のハンドルの位置に対応させるようにした建物開口部用網戸が開示されている。
しかしながら、上記公知の建物開口部用網戸においては、ネットを開閉操作するための蝶番の位置が固定的に設定されるため、ネットの開放量をそこから手を差し延べて行う作業内容に応じて自由に調整できず、ネットが固定的であることからその作業中にネットを損傷させる可能性も大である。
【先行技術文献】
【特許文献】
【０００５】
【特許文献１】特開２００２−２５６７８３号公報
【発明の概要】
【発明が解決しようとする課題】
【０００６】
本発明の技術的課題は、必要最小限のスクリーンの開放を簡易に行うことができ、しかも、スクリーン装置自体が嵌め殺しの場合と同様に簡素で安価に構成できるようにした建物開口部用スクリーン装置を提供することにある。
【課題を解決するための手段】
【０００７】
上記課題を解決するため、本発明によれば、開閉する窓の内側に装設する建物開口部用スクリーン装置であって、該スクリーン装置により張設するスクリーンの外側における上下左右のいずれかの側で人手による作業が必要となる部位に対応させて、スクリーンの部分的な開放部を形成するようにしたスクリーン装置において、上記建物開口部におけるスクリーンの上記開放部側とは逆側の該開口部枠に該スクリーンの一端を固定すると共に、該スクリーンの上記開放部側端に、スクリーンの部分的な開放のための操作バーを取り付け、更にそれらの両側の一対の対向する開口部枠に沿って、スクリーン及び操作バーの両側端を摺動可能にガイドするガイド枠を設け、上記ガイド枠に摺動自在にガイドされるスクリーンの両側端にはそれぞれファスナー半体を取り付け、上記ガイド枠には、その内部に遊挿した上記ファスナー半体の係止頭部がガイド枠から脱出するのを抑止するスリットを設け、上記一対のガイド枠のスクリーンの最大開放位置において、該ガイド枠の一部を切除することにより、上記操作バーでガイド枠の長手方向に押圧したスクリーンがガイド枠から外れてガイド枠外に導出されるスクリーン導出部を形成したことを特徴とする第１の建物開口部用スクリーン装置が提供される。
【０００８】
また、上記課題を解決するため、本発明によれば、開閉する窓の内側に装設する建物開口部用スクリーン装置であって、該スクリーン装置により張設するスクリーンの外側における上下または左右で人手による作業が必要となる部位に対応させて、スクリーンの部分的な開放部を形成するようにしたスクリーン装置において、上記建物開口部におけるスクリーンの両端の上記開放部端に、スクリーンの部分的な開放のための操作バーを取り付け、更にそれらの両側の一対の対向する開口部枠に沿って、スクリーン及び操作バーの両側端を摺動可能にガイドするガイド枠を設け、上記ガイド枠に摺動自在にガイドされるスクリーンの両側端にはそれぞれファスナー半体を取り付け、上記ガイド枠には、その内部に遊挿した上記ファスナー半体の係止頭部がガイド枠から脱出するのを抑止するスリットを設け、上記一対のガイド枠の中間位置において、該ガイド枠の一部を切除することにより、上記操作バーでガイド枠の長手方向に押圧したスクリーンがガイド枠から外れてガイド枠外に導出されるスクリーン導出部を形成したことを特徴とする第２の建物開口部用スクリーン装置が提供される。
【０００９】
本発明に係る上記第１の建物開口部用スクリーン装置の好ましい実施形態においては、上記一対のガイド枠におけるスクリーンの開放方向側の端部に上記スクリーンの最大開放位置を設定し、該端部に上記スクリーン導出部が形成され、あるいは、上記一対のガイド枠の中間部に上記スクリーンの最大開放位置を設定し、該中間部に上記スクリーン導出部が形成される。
また、本発明に係る上記第１及び第２の建物開口部用スクリーン装置の好ましい実施形態においては、上記ガイド枠のスクリーン導出部を、上記スリットを有するガイド枠における該スリットの片側壁を部分的に切除することにより形成し、この場合に、ガイド枠における該スリットの室内側壁、あるいは室外側壁を切除することによりスクリーン導出部を形成し、室内側壁を切除した場合には、該スクリーン導出部に、スクリーンの非導出時にその外面を覆うカバーが設けられる。
【００１０】
本発明の他の好ましい実施形態においては、上記スクリーンを上下方向に部分的に開放可能にした建物開口部用スクリーン装置においては、上記ガイド枠のカバーの自重を該スクリーン導出部の閉鎖の作用因とし、また、上記スクリーンを横方向に部分的に開放可能にした建物開口部用スクリーン装置においては、上記スクリーン導出部のカバーに該スクリーン導出部に対し閉方向に付勢する付勢手段を付設することが望まれる。
更に、本発明の他の好ましい実施形態においては、上記スリットの片側壁の切除部を、該スリットからスクリーンを滑らかに導出する内側開きの斜面に形成し、また、上記スリットの片側壁の切除部により形成されるスクリーン導出部を、それを通して操作バーをガイド枠から導出できる形態に形成される。
【００１１】
上記構成を有する建物開口部用スクリーン装置は、上記一対のガイド枠のスクリーンの最大開放位置において、該ガイド枠の一部を切除することスクリーン導出部を形成しているので、上記操作バーをガイド枠に沿って開放方向に押圧したときに、上記スクリーンにおけるスクリーン導出部に対面する部分がガイド枠から外れてガイド枠外に導出され、スクリーンの最大開放位置に至る範囲内において、操作バーの押圧量に応じた必要最小限のスクリーンの開放を行うことができる。しかも、上記スクリーンを開放するための構造が従来の収納式スクリーン装置に比してより簡易であるため、当該スクリーン装置をより安価に提供することができる。
【発明の効果】
【００１２】
以上に詳述した本発明の建物開口部用スクリーン装置によれば、必要最小限のスクリーンの開放を簡易に行うことができ、しかも、スクリーン装置自体が嵌め殺しの場合と同様に簡素で安価に構成できるようにした建物開口部用スクリーン装置を提供することができる。
【図面の簡単な説明】
【００１３】
【図１】本発明の第１実施例に係る建物開口部用スクリーン装置を示す縦断面図である。
【図２】同横断平面図である。
【図３】同実施例に係る建物開口部用スクリーン装置の斜視図である。
【図４】同装置におけるスクリーンの一部がガイド枠から外れてスクリーン導出部からガイド枠外に導出されている状態を示す縦断面図である。
【図５】スクリーン装置における図４の状態を示す斜視図である。
【図６】本発明の第２実施例に係る建物開口部用スクリーン装置を示す縦断面図である。
【図７】同横断平面図である。
【図８】同実施例に係る建物開口部用スクリーン装置の斜視図である。
【図９】同装置におけるスクリーンの一部がガイド枠から外れてスクリーン導出部からガイド枠外に導出されている状態を示す縦断面図である。
【図１０】スクリーン装置における図９の状態を示す斜視図である。
【図１１】本発明の第３実施例に係る横引きの建物開口部用スクリーン装置を示す横断平面図である。
【図１２】同装置におけるスクリーンがガイド枠から外れてスクリーン導出部からガイド枠外に導出されている状態を示す横断平面図である。
【図１３】本発明の第４実施例に係る建物開口部用スクリーン装置を示す横断平面図である。
【図１４】本発明の第５実施例に係る建物開口部用スクリーン装置を示す縦断平面図である。
【図１５】同装置のスクリーンがガイド枠から外れてスクリーン導出部からガイド枠外に導出されている状態を示す縦断面図である。
【発明を実施するための形態】
【００１４】
図１〜図５は、本発明に係る建物開口部用スクリーン装置の第１実施例を示している。
この実施例のスクリーン装置は、図１及び図２に示すように、一戸建住宅やマンション等の出窓あるいは洗面所等において、オーニング窓、辷り出し窓、開き窓、突き出し窓等で、室内側に設置した回転ハンドルによる開閉操作部材Ａにより開閉できる窓２に、防虫、目隠し、装飾等を目的として、嵌め殺しに近い状態で該窓の窓枠の内側に設置するもので、概略的には、スクリーン８を部分的に開放しようとする開放部とは逆側、即ち建物開口部枠１の上部に取り付けてスクリーン８の一端を固定するブラケット３と、該スクリーン８の開放部側端に取り付けた、スクリーン８の部分的な開放のための操作バー４と、更にそれらの両側の一対の対向する建物開口部枠１に沿って設けられ、スクリーン８及び操作バー４の両側端を摺動可能にガイドする左右のガイド枠６，６とを備えている。
【００１５】
上記ガイド枠６，６に摺動自在にガイドされるスクリーン８は、図２に示すように、上記操作バー４の開閉操作により建物開口部枠１の下部から上方向に開放可能に構成したもので、その両側端にそれぞれファスナー半体８ａが取り付けられ、上記ガイド枠６には、その内部に遊挿した上記ファスナー半体８ａの係止頭部８ｂが該ガイド枠６から脱出するのを抑止するスリット６ａが設けられている。上記ファスナー半体８ａとしては、その一対の係止頭部８ｂ，８ｂが相互に係合する周知のファスナーを、その係合頭部８ｂの滑り性が良好であることから利用するが、ここでは上記一対の係止頭部８ｂを相互に係合させることはないので、その係合が確実に行われるものである必要はない。
【００１６】
そして、上記一対のガイド枠６，６には、図１、図３〜図５に明確に示すように、該ガイド枠６におけるスクリーン８の最大開放位置を該スクリーン８の開放方向側の端部に設定して、該スクリーン８の最大開放位置におけるガイド枠６の一部を部分的に切除することにより、該部に、上記操作バー４でガイド枠６，６の長手方向に押圧したスクリーン８がガイド枠６，６から外れて該ガイド枠６，６外に導出されるスクリーン導出部１０が形成されている。
【００１７】
より具体的には、上記スクリーン導出部１０は、上記スリット６ａを有するガイド枠６における該スリット６ａの室内側壁６ｂを部分的に切除することにより形成され、該室内側壁６ｂにおける切除部の下部には、スリット６ａからスクリーン８を滑らかに導出する内側開きの斜面６ｃが形成されている。そして、該スクリーン導出部１０には、上記スクリーン８の非導出時にその外面を覆うカバー１０ａが付設されている。
なお、上記スリット６ａの室内側壁６ｂにおける切除部の下部は、上述した内側開きの斜面６ｃに限定されるものではなく、上記スクリーン８の導出時に上記スリット６ａから該スクリーン８が滑らかに導出されるのであれば、平面状や半円筒形状のものなど、適宜の形状を採用することができる。
【００１８】
上記スクリーン導出部１０におけるカバー１０ａは、前記ブラケット３に吊下状態で開閉自在に連結されるが、具体的には、蝶番や可撓性を有する平板状若しくはテープ状部材によりブラケット３に開閉自在に連結され、あるいは、該カバー１０ａ自体を、上記ブラケット３に可撓性を有する合成樹脂により薄肉部を介して一体的に形成することもできる。そして、操作バー４を押し上げたとき、スクリーン８が上記スクリーン導出部１０において該カバー１０ａを押圧開放することにより、該スクリーン導出部１０からガイド枠６外に導出されるのを妨げない程度の自重を有するものとして形成している。したがって、該カバー１０ａの自重を該スクリーン導出部１０を閉鎖するための作用因とするものとして構成しているが、必要に応じて閉方向にバネ付勢することもできる。なお、上記カバー１０ａは、開閉可能な適宜の連結手段を用いてブラケット３等に支持させることができる。
【００１９】
即ち、上記スクリーン８の操作バー４を押し上げた該スクリーン８の下部の開放時には、該スクリーン８におけるスクリーン導出部１０に対面する部分が上記カバー１０ａの自重に抗して該カバー１０ａを押し上げることによりスクリーン導出部１０からガイド枠６外に導出され、上記操作バー４の押圧量に応じた必要最小限のスクリーン８の開放を行うことができ、一方、該スクリーン８の操作バー４の押し上げを解放した非導出時には、該カバー１０ａの自重を作用因としてスクリーン導出部１０が自動的に該カバー１０ａに覆われる。
【００２０】
上記構成を有する建物開口部用スクリーン装置は、上記一対のガイド枠６，６のスクリーン８の最大開放位置において、該ガイド枠６におけるスリット６ａの室内側壁６ｂの一部を切除することによりスクリーン導出部１０を形成しているので、上記操作バー４をガイド枠６に沿って開放方向に押圧したときに、上記スクリーン８におけるスクリーン導出部１０に対面する部分がガイド枠６から外れてガイド枠６外に導出され、操作バー４の押圧量に応じた必要最小限のスクリーン８の開放を行うことができる。そのうえ、上記スリット６ａの片側壁における切除部の下部を内側開きの斜面６ｃに形成しているので、該スリット６ａからスクリーン８を極めて滑らかに導出することができる。
【００２１】
以上に詳述した本発明の建物開口部用スクリーン装置によれば、スクリーン８を開放するための構造が従来の収納式スクリーン装置に比してより簡易であり、スクリーン装置自体を嵌め殺しの場合と同様に簡素で安価に構成できるようにしているので、当該スクリーン装置をより安価に提供することができ、目的に応じた必要最小限のスクリーンの開放を簡易に行うことができる。
【００２２】
次に、図６〜図１０は、本発明に係る建物開口部用スクリーン装置の第２実施例を示している。この第２実施例のスクリーン装置は、基本的な構成は前記第１実施例と同様であるが、図６〜図１０に明確に示すように、一対のガイド枠２６，２６の中間部、即ち、窓枠の開閉操作のための開閉操作部材Ａの操作等に必要な最小限のスクリーン８の開放位置に該スクリーン８の最大開放位置を設定し、該部に上記スクリーン導出部３０を形成したものとして構成したものである。
【００２３】
より具体的には、上記スクリーン導出部３０は、上記スリット２６ａを有するガイド枠２６における該スリット２６ａの室内側壁２６ｂを部分的に切除することにより形成され、該室内側壁２６ｂにおける切除部の上下部には、スリット２６ａからスクリーン８を滑らかに導出する内側開きの斜面２６ｃ，２６ｃが形成されている。
【００２４】
なお、上記スクリーン導出部３０におけるカバー３０ａは、上記ガイド枠２６に開閉自在に連結されるが、蝶番や可撓性を有する平板状若しくはテープ状部材により開閉自在に連結するか、あるいは、上記ガイド枠２６に別途取り付ける支持部材２７に、可撓性を有する合成樹脂により薄肉部を介して一体的に形成することにより開閉自在に連結するなど、上記カバー３０ａを開閉可能な適宜の連結手段を用いて取り付けできることはいうまでもない。
【００２５】
上記構成を有する建物開口部用スクリーン装置は、上記一対のガイド枠２６，２６の任意の中間部に位置させて上記スクリーンの最大開放位置を設定することができるので、窓枠の場所や構造上の理由で上記スクリーン導出部３０を形成する位置に配慮が必要な場合などに、該スクリーン導出部３０の位置を自由に設定することができる。
ここで、この第２実施例のその他の構成及び作用は、実質的に前記第１実施例と同様であるから、図中の同一または相当部分に同一符号または同一補助符号を付して、それらの説明を省略する。
【００２６】
なお、上記第１及び第２実施例では、スクリーン８の上端をブラケット３により建物開口部枠の上部に固定し、スクリーンの下端に操作バー４を取り付けて、スクリーン８をその下部から上方に部分的に開放できるようにしているが、逆に、スクリーン８の下端をブラケット３により建物開口部枠の下部に固定し、スクリーンの上端に操作バー４を取り付けて、スクリーン８をその上部から下方に部分的に開放できるようにすることもできる。但し、この場合には、スクリーン８の開放を行わない通常時には、操作バー４を建物開口部枠の上部にマグネット等の保持手段で保持させておく必要があり、また、上記操作バー４を下動させるときには、必要以上の下動を制限するストッパをガイド枠６，２６に設けておくのが望ましい。
【００２７】
図１１及び図１２は、本発明に係る建物開口部用スクリーン装置の第３実施例を示している。このスクリーン装置についても、基本的な構成は前記第１実施例及び第２実施例と同様であるが、図１１及び図１２に明確に示すように、スクリーン８を横方向に部分的に開放可能にして、スクリーン導出部５０から該スクリーン８を導出するようにし、上記ガイド枠４６におけるスクリーン導出部５０のカバー５０ａに、該スクリーン導出部５０に対し閉方向に付勢する付勢手段５０ｂを付設したものとして構成したものである。上記付勢手段５０ｂとしては、カバー５０ａをガイド枠４６に連結する部分を板ばね状に形成するとか、他のバネ状部材により，カバー５０ａに対して閉方向の付勢力を付与するように構成できるが、該カバーを手動で開閉するようにしてもよい。
【００２８】
ここで、この第３実施例のその他の構成及び作用は、実質的に前記第１実施例及び第２実施例と同様であるから、図中の同一または相当部分に同一符号または同一補助符号を付して、それらの説明を省略する。
【００２９】
図１３は、本発明に係る建物開口部用スクリーン装置の第４実施例を示している。
この第４実施例の建物開口部用スクリーン装置は、図１３に示すように、該スクリーン装置により張設するスクリーン８の外側における左右両端の人手による作業を必要とする部位に対応させて、スクリーン８を横方向に部分的に開放可能にするため、上記建物開口部におけるスクリーン８の左右両端の上記開放部端に、該スクリーン８の部分的な開放のための操作バー６４ａ，６４ｂをそれぞれ取り付けたもので、それらの操作バー６４ａ，６４ｂをガイドする上下一対のガイド枠６６，６６の中間位置において、該ガイド枠６６の室内側壁６６ｂの一部を切除することにより、上記操作バー６４ａ，６４ｂでガイド枠６６の長手方向に押圧したスクリーン８がガイド枠６６から外れて該ガイド枠６６外に導出されるスクリーン導出部７０を形成したものである。
【００３０】
このように構成すると、建物開口部におけるスクリーン８の左右両側において、上記操作バー６４ａ，６４ｂの押圧量に応じた必要最小限のスクリーン８の開放を行うことができるので、開閉操作部材Ａによる窓２の開閉、あるいは該開閉操作部材Ａとは逆側の窓２の周囲の掃除などのメンテナンス等、目的に応じた必要最小限のスクリーン８の両側の開放を簡易に行うことができる。
【００３１】
なお、図１３に示した実施例においては、上記スクリーン８を左右に横方向に開閉可能としたスクリーン装置について記載したが、それに限定されるものではなく、スクリーン８の両端の開放部端にそれぞれ取り付けた操作バーを上下方向に開放可能にしたスクリーン装置に適用することもできる。この場合、上記スクリーン８の上端側に取り付けた操作バーは、マグネットラッチ等の固定手段で建物開口部枠の上部、あるいはそこに取り付けたブラケット等に固定しておく必要がある。
ここで、この第４実施例のその他の構成及び作用は、実質的に前記第１実施例〜第３実施例と同様であるから、図中の同一または相当部分に同一符号または同一補助符号を付して、それらの説明を省略する。
【００３２】
図１４及び図１５は、本発明に係る建物開口部用スクリーン装置の第５実施例を示している。このスクリーン装置についても、基本的な構成は前記第１実施例〜第４実施例と同様であるが、図１４及び図１５に明確に示すように、スクリーン８がガイド枠８６から外れてガイド枠８６外に導出されるスクリーン導出部９０を、該ガイド枠８６における該スリット８６ａの室外側壁８６ｄを切除することにより形成したものである。この場合、原則として上記スクリーン導出部９０に、スクリーン８の非導出時にその外面を覆うカバーを設ける必要がないため、当該スクリーン装置をより簡素で安価に構成することができるが、上記カバーを設けても差し支えない。
【００３３】
ここで、この第５実施例のその他の構成及び作用は、実質的に前記第１実施例〜第４実施例と同様であるから、図中の同一または相当部分に同一符号または同一補助符号を付して、それらの説明を省略する。
なお、図示した第５実施例においては、本発明を上方向に部分的に開放可能にしたスクリーン装置に適用した場合について説明しているが、それに限定されるものではなく、横方向に部分的に開閉可能にしたスクリーン装置に適用することができるのはいうまでもない。
【符号の説明】
【００３４】
４，６４ａ，６４ｂ  操作バー
６，２６，４６，６６，８６    ガイド枠
６ａ，２６ａ，４６ａ，６６ａ，８６ａ  スリット
６ｂ，２６ｂ，４６ｂ，６６ｂ  室内側壁
６ｃ，２６ｃ，４６ｃ，６６ｃ，８６ｃ  斜面
８    スクリーン
８ａ  ファスナー半体
８ｂ  係止頭部
１０，３０，５０，７０，９０    スクリーン導出部
１０ａ，３０ａ，５０ａ，７０ａ  カバー
５０ｂ  付勢手段
８６ｄ  室外側壁
【図１】
2010236189.tif 000003
【図２】
2010236189.tif 000004
【図３】
2010236189.tif 000005
【図４】
2010236189.tif 000006
【図５】
2010236189.tif 000007
【図６】
2010236189.tif 000008
【図７】
2010236189.tif 000009
【図８】
2010236189.tif 000010
【図９】
2010236189.tif 000011
【図１０】
2010236189.tif 000012
【図１１】
2010236189.tif 000013
【図１２】
2010236189.tif 000014
【図１３】
2010236189.tif 000015
【図１４】
2010236189.tif 000016
【図１５】
2010236189.tif 000017